(57)【要約】【課題】小型軽量で、大きさ調整が容易な運搬補助台車とそれによる運搬方法を得る。【解決手段】運搬補助台車は、運搬物を支持するための基台に取り付けられ、幅方向に延びて互いに整列した車軸を持つ一対の車輪を備え、基台が、幅方向に並置された２つの基台要素と、基台要素間の幅方向距離を調整可能に結合する結合装置とを備えている。長尺物の運搬には、運搬補助台車を２台互いに奥行き方向に離して配置して長尺の運搬物を乗せる。【効果】大きさを運搬物に合わせて調整でき、小型軽量であり、運搬作業が容易である。【選択図】図３
2009202850.tif 000002
【特許請求の範囲】
【請求項１】
幅寸法および奥行き寸法を持ち、運搬物を支持するための基台と、
上記基台に取り付けられ、幅方向に延びて互いに整列した軸心を持つ第１および第２の車輪とを備えた運搬補助台車において、
上記基台が、
幅方向に並置された第１および第２の基台要素と、
上記第１および第２の基台要素間を基台要素間の幅方向距離の長さを調整可能に結合する結合装置とを備えたことを特徴とする運搬補助台車。
【請求項２】
上記第１および第２の車輪がそれぞれ上記第１および第２の基台要素に取り付けられたことを特徴とする請求項１に記載の運搬補助台車。
【請求項３】
上記結合装置が、上記第１および第２の基台要素間に延びて、上記第１および第２の基台要素を互いにスライド式に結合する案内装置と、上記第１および第２の基台要素間に延びて、上記第１および第２の基台要素を互いに離接させる位置調節ネジ装置とを備えたことを特徴とする請求項１あるいは２に記載の運搬補助台車。
【請求項４】
上記第１および第２の基台要素がそれぞれ、軟質材パッドを備えたことを特徴とする請求項１〜３のいずれか一項に記載の運搬補助台車。
【請求項５】
上記基台が、荷止めバンドを備えたことを特徴とする請求項１〜４のいずれか一項に記載の運搬補助台車。
【請求項６】
請求項１〜５のいずれか一項に記載の運搬補助台車を２台以上互いに奥行き方向に離間させて配置する工程と、離間させて配置した２台以上の運搬補助台車上に長尺の運搬物を乗せる工程とを備えたことを特徴とする運搬方法。
【請求項７】
上記運搬物を上記運搬補助台車に乗せる工程の後に、上記運搬物を荷止めバンドで上記運搬補助台車に固定する工程を備えたことを特徴とする請求項６に記載の運搬方法。
【発明の詳細な説明】
【技術分野】
【０００１】
本発明は運搬補助台車およびそれを用いた運搬方法に関し、特にエレベーターの様々な長尺の構成部材などを運搬するのに適した運搬補助台車およびそれを用いた運搬方法に関するものである。
【背景技術】
【０００２】
エレベーターのかご床ユニット、乗場ユニット、案内レール等の長尺かつ重量の大きな構成部材を運搬するために様々な運搬台車が提案されている。
【０００３】
このような運搬台車のある例においては、枠の間口方向部材を形成した二本の間口梁の長手端部に自在車輪を含む車輪が設けられている。また、枠の奥行き方向部材を形成した奥行き梁の端部が、対向した間口梁に摺動自在に係合して所定位置で間口梁に締結されている。そして、四角形の枠の四隅にそれぞれ支え棒を着脱自在に立設し、また間口梁を伸縮構造体により構成して所要の間口幅にできるようにしてある。
【０００４】
これによって、間口梁等の部材が分解でき運搬台車の不使用時に狭い場所に保管可能となり、枠を所要の大きさに形成でき、また支え棒を立設した一体に組立てた運搬台車を使用することにより長尺物品運搬を容易にできる（例えば特許文献１参照）。
【０００５】
【特許文献１】特開２００５−０２９０２２号公報
【発明の開示】
【発明が解決しようとする課題】
【０００６】
従来の運搬補助台車においては、運搬物を荷受台に載せるだけで積極的に台車に固定しないためズレ落ちる可能性があり、運搬が危険な作業であった。また台車自体が大型で重く、運搬物に応じた大きさの調整が容易ではなかった。この問題は、運搬物が長尺物である場合に特に重要であった。また、工事現場では何種類もの運搬補助台車を用意して保管して置かねばならないという不都合もあった。
【０００７】
従ってこの発明の目的は、小型、軽量で、大きさの調整が容易な運搬補助台車およびそれを用いた運搬方法を得ることである。
【課題を解決するための手段】
【０００８】
この発明の運搬補助台車は、
幅寸法および奥行き寸法を持ち、運搬物を支持するための基台と、上記基台に取り付けられ、幅方向に延びて互いに整列した軸心を持つ第１および第２の車輪とを備えた運搬補助台車において、上記基台が、幅方向に並置された第１および第２の基台要素と、上記第１および第２の基台要素間を基台要素間の幅方向距離を調整可能に結合する結合装置とを備えたことを特徴とする運搬補助台車である。
【０００９】
また、この発明の運搬方法は、幅寸法および奥行き寸法を持ち、運搬物を支持するための基台と、上記基台に取り付けられ、幅方向に延びて互いに整列した車軸を持つ第１および第２の車輪とを備えた運搬補助台車において、上記基台が、幅方向に並置された第１および第２の基台要素と、上記第１および第２の基台要素間を基台要素間の幅方向距離を調整可能に結合する結合装置とを備えたことを特徴とする運搬補助台車を、２台以上互いに奥行き方向に離間させて配置する工程と、離間させて配置した２台以上の運搬補助台車上に長尺の運搬物を乗せる工程とを備えたことを特徴とする運搬方法である。
【発明の効果】
【００１０】
この発明の運搬補助台車によれば、大きさを運搬物に合わせることが容易となり、小型軽量であるので、運搬作業が容易になるという効果が得られる。
【発明を実施するための最良の形態】
【００１１】
実施の形態１．
図１〜５はこの発明の運搬補助台車の一実施形態を示す図であり、図１はこの発明に係る運搬補助台車の使用状態を示す概略側面図であり、図２は図１の運搬補助台車の概略正面図である。図３は図１の運搬補助台車の詳細を示す概略平面図であり、図４は図３の運搬補助台車の概略正面図であり、図５は図３の運搬補助台車の概略側面図である。
【００１２】
図１および図２にはこの発明の運搬補助台車１を２台用いて例えばエレベーター構成部材の長尺の運搬物２を運搬している状態を示してあり、この発明の運搬補助台車１を２台互いに離間させて配置し、その上に長尺の運搬物２が乗せられ、運搬物２を荷止めバンド３で運搬補助台車１に固定し、２人の作業員４によって支えながら押して運搬している。
【００１３】
図３〜図５にも示すように、運搬補助台車１は各々、運搬物２を支持するために、幅Ｗおよび奥行きＤを持ち、平面形がほぼ矩形の基台５と、基台５に取り付けられ、幅方向に延びて互いに整列した軸心６を持つ第１および第２の車輪７および８とを備えている。
【００１４】
基台５は、幅Ｗ方向に並置されて間に間隙Ｇが形成されて配置され、それぞれ第１および第２の車輪７および８が取り付けられた第１および第２の基台要素９および１０と、第１および第２の基台要素間を基台要素間の幅Ｗ方向距離および間隙Ｇを調整可能に結合する結合装置１１とを備えている。
【００１５】
第１および第２の基台要素９および１０はそれぞれ、矩形の鋼鈑をクランク状に折り曲げて形成した板状の部材であって、運搬物２を乗せるとともに車輪７あるいは８を支持する台板部１２と、台板部１２から直角に上方に延びた側壁部１３と、側壁部１３から外側に向かって車輪７あるいは８の上方を覆うように延びたフェンダ部１４とを備えている。
【００１６】
第１および第２の車輪７および８はそれぞれの基台要素９および１０の台板部１２の下面に取り付けられた軸受１５によって独立して回転可能に支持されていて、その軸心６が互いに整列している。
【００１７】
第１および第２の基台要素９および１０はそれぞれ、ゴムマットなどの衝撃吸収作用と滑り防止作用とを持つ軟質材パッド１６を持ち、軟質材パッド１６は台板部１２の上面、側壁部１３の内側面、フェンダ部１４の上面に接着剤等によって貼り付けられている。
【００１８】
基台５の第１および第２の基台要素９および１０のそれぞれには、フェンダ部１４に形成された取付穴１４ａを通して取付けた荷止めバンド３が設けてある。荷止めバンド３には、図１および図２に示されているように、長さ調節金具１７と締結金具１８とが設けられていて、基台５の上に積載した運搬物を基台５に容易に締結できるようにしてある。
【００１９】
運搬補助台車１の基台５の第１および第２の基台要素９および１０の間には、基台要素間の幅Ｗ方向距離および間隙Ｇを調整可能とし、同時に第１および第２の基台要素９および１０の間を結合する結合装置１１が設けてある。この結合装置１１は、第１および第２の基台要素９および１０間に亘って延びて互いに橋絡し、第１および第２の基台要素９および１０を互いにスライド式あるいは入れ子式に結合する案内装置１９と、第１および第２の基台要素９および１０間に亘って延びて、第１および第２の基台要素９および１０を互いに離接させる位置調節ネジ装置２０とを備えている。
【００２０】
結合装置１１の案内装置１９は、一方の基台要素（図３では第１の基台要素９）の台板部１２の下面に固定され、幅方向に延びた案内シリンダ２１と、他方の基台要素（図３では第２の基台要素１０）の台板部１２の下面にブラケット２２によって幅方向に延びるように固定され、第２の基台要素１０から第１の基台要素９に向かって突出して、案内シリンダ２１内に摺動できるように挿入された案内ロッド２３とを備えている。この案内装置１９は、第１および第２の基台要素９および１０間を互いに近づきあるいは遠ざかるように基台５の幅方向に摺動できるが、奥行き方向および高さ方向には互いの相対位置が変化しないようにするものである。
【００２１】
結合装置１１の位置調節ネジ装置２０は、第１および第２の基台要素９および１０の下面にそれぞれ取り付けられ、互いに逆方向の内ネジを持つナット部材２４と、２つのナット部材２４にねじ係合した逆ネジを持つ親ネジ２６とを備えている。親ネジ２６には、例えばスパナ等の適当な工具２７を利用して回転させるために例えば六角形断面の角断面部２８が設けられている。
【００２２】
工具２７を用いて親ネジ２６を回転させれば、回転方向に応じて、第１および第２の基台要素９および１０が互いに近づいたり遠ざかったりして基台５の幅寸法Ｗを変化させ、運搬すべき運搬物２の大きさに応じた幅Ｗとすることができる。このように幅Ｗを調整した基台５上に運搬物２を乗せ、締結金具１８で荷止めバンド３を掛け、長さ調節金具１７で荷止めバンド３を締め、基台５に固定し、作業員４によって支えながら運搬補助台車１とともに運搬物を運搬することができる。
【００２３】
運搬物２が図１に示すような長尺なものである場合には、運搬補助台車１を２台互いに離間させて配置し、その上に長尺の運搬物２を亘らせて乗せることができる。運搬物２を荷止めバンド３で運搬補助台車１に固定し、作業員４によって支えながら押して運搬している。この場合には、運搬補助台車１が２台で車輪が４つあるため、運搬補助台車１と一体になった運搬物２は自立できる。
【００２４】
この発明の運搬補助台車１を一実施の形態を用いて説明したが、様々な変形や変更が可能である。例えば、基台要素９および１０の形状は平板状のものであってもよく、車輪７あるいは８の取付構造、位置調節ネジ装置２０の構造、案内装置１９の構造等は、以上に説明して図示したものに限定されず、公知の様々な形態のものを適用できる。
【図面の簡単な説明】
【００２５】
【図１】本発明に係るエレベーター構成部材の運搬補助台車の使用状態の一例を示す概略側面図である。
【図２】図１の運搬補助台車の概略正面図である。
【図３】図１の運搬補助台車の詳細を示す概略平面図である。
【図４】図３の運搬補助台車の概略正面図である。
【図５】図３の運搬補助台車の概略側面図である。
【符号の説明】
【００２６】
１  運搬補助台車、２  運搬物、３  荷止めバンド、５  基台、６  軸心、７  第１の車輪、８  第２の車輪、９  第１の基台要素、１０  第２の基台要素、１１  結合装置、１６  軟質材パッド、１９  案内装置、２０  位置調節ネジ装置、Ｇ  幅方向距離、Ｗ  幅寸法、Ｄ  奥行き寸法。
【図１】
2009202850.tif 000003
【図２】
2009202850.tif 000004
【図３】
2009202850.tif 000005
【図４】
2009202850.tif 000006
【図５】
2009202850.tif 000007